(57)【要約】【課題】用紙同士が重なっている場合においても自動パージを適切に実行するための画像形成システムを提供する。【解決手段】画像形成システム１００は、画像形成装置１１０と、当該画像形成装置１１０により画像形成された記録材を後処理する後処理装置とを備える。画像形成システム１００は、検出部１１１および制御部１１１を有する。検出部１１１は、画像形成システム１００内の搬送路に沿って搬送される記録材が所定の位置を通過するために要する時間が第１の閾値Ｔ１を超えた場合に、記録材の搬送異常を検出する。制御部１１１は、検出部１１１により搬送異常が検出された際に記録材の搬送を一時停止させた後、搬送路に残存する記録材を排紙するために再搬送するときに、第１の閾値Ｔ１を第１の閾値Ｔ１よりも大きい第２の閾値Ｔ２に変更して検出部１１１に搬送異常を検出させる。【選択図】図４
2016108090.tif 000002
【特許請求の範囲】
【請求項１】
画像形成装置と、当該画像形成装置により画像形成された記録材を後処理する後処理装置とを備える画像形成システムであって、
前記画像形成システム内の搬送路に沿って搬送される記録材が所定の位置を通過するために要する時間が第１の閾値を超えた場合に、記録材の搬送異常を検出する検出部と、
前記検出部により搬送異常が検出された際に記録材の搬送を一時停止させた後、前記搬送路に残存する記録材を排紙するために再搬送するときに、前記第１の閾値を前記第１の閾値よりも大きい第２の閾値に変更して前記検出部に搬送異常を検出させる制御部と、
を有する画像形成システム。
【請求項２】
前記制御部は、記録材のサイズに基づいて前記第２の閾値を決定する請求項１に記載の画像形成システム。
【請求項３】
前記制御部は、記録材を搬送するサイクル時間に基づいて前記第２の閾値を決定する請求項１または請求項２に記載の画像形成システム。
【請求項４】
後処理装置に接続されて画像形成システムを構成する画像形成装置であって、
前記画像形成システム内の搬送路に沿って搬送される記録材が所定の位置を通過するために要する時間が第１の閾値を超えた場合に、記録材の搬送異常を検出する検出部と、
前記検出部により搬送異常が検出された際に記録材の搬送を一時停止させた後、前記搬送路に残存する記録材を排紙するために再搬送するときに、前記第１の閾値を前記第１の閾値よりも大きい第２の閾値に変更して前記検出部に搬送異常を検出させる制御部と、
を有する画像形成装置。
【請求項５】
画像形成装置に接続されて画像形成システムを構成する後処理装置であって、
画像形成装置により画像形成された記録材を後処理する後処理部と、
前記画像形成システム内の搬送路に沿って搬送される記録材が所定の位置を通過するために要する時間が第１の閾値を超えた場合に、記録材の搬送異常を検出する検出部と、
前記検出部により搬送異常が検出された際に記録材の搬送を一時停止させた後、前記搬送路に残存する記録材を排紙するために再搬送するときに、前記第１の閾値を前記第１の閾値よりも大きい第２の閾値に変更して前記検出部に搬送異常を検出させる制御部と、
を有する後処理装置。
【請求項６】
画像形成装置と、当該画像形成装置により画像形成された記録材を後処理する後処理装置とを備える画像形成システムに適用される搬送異常検出プログラムであって、
前記画像形成システム内の搬送路に沿って搬送される記録材が所定の位置を通過するために要する時間が第１の閾値を超えた場合に、記録材の搬送異常を検出する検出ステップと、
前記検出ステップにおいて搬送異常が検出された際に記録材の搬送を一時停止させた後、前記搬送路に残存する記録材を排紙するために再搬送するときに、前記第１の閾値を前記第１の閾値よりも大きい第２の閾値に変更して前記検出ステップに搬送異常を検出させる制御ステップと、
をコンピューターに実行させる搬送異常検出プログラム。
【発明の詳細な説明】
【技術分野】
【０００１】
本発明は、画像形成システム、画像形成装置、後処理装置および搬送異常検出プログラムに関する。
【背景技術】
【０００２】
画像形成システムにおいては、用紙の搬送路においてジャム等の搬送異常が発生した際、用紙の搬送を停止し、ジャムの起因となった用紙が取り除かれた後に、搬送路に残存する用紙を自動的に排出する自動パージという技術が知られている。自動パージが行われることにより、残存する用紙の除去作業等のユーザーによるジャム処理負担を軽減することができる。
【０００３】
しかし、画像形成システムの高機能化や搬送路の伸長化に伴い、自動パージによる用紙搬送の際に、再度ジャムが発生するという問題も発生している。この問題に関連して、自動パージによる用紙搬送中にジャムを検出する技術も知られている（特許文献１参照）。
【０００４】
ジャムの検出方法としては、搬送路上に設けられた一つのセンサーが用紙の先端を検知してから後端を検知するまでの時間を用紙通過時間として算出し、用紙通過時間が所定の閾値を超えた場合にジャムとして検出する方法等が知られている。
【先行技術文献】
【特許文献】
【０００５】
【特許文献１】特開平７−３０１９６３号公報
【発明の概要】
【発明が解決しようとする課題】
【０００６】
しかしながら、上記特許文献１記載の技術は、自動パージの際に用紙が１枚ずつ搬送されるという前提でジャムを検出するものである。したがって、自動パージの際に用紙が重なって搬送される場合については何ら考慮されていない。
【０００７】
たとえば、ジャムが発生した際、画像形成システムを構成する各装置同士は、通信を介してジャムの発生や用紙搬送の停止指示等を通知する。この通信に伴うタイムラグ等により、装置ごとに用紙搬送が停止するタイミングは異なる。そのため、先行する下流側の用紙に、後続する上流側の用紙が追い付いてしまい、用紙同士の一部が重なった状態で停止することがある。
【０００８】
このように、用紙同士が重なった状態で、自動パージによりそのまま搬送される場合、用紙同士の間に隙間がないため、一つのセンサーが下流側の用紙の先端を検知してから上流側の用紙の後端を検知するまでの時間が、用紙通過時間として検出される。たとえば、この用紙通過時間の長さによってジャムを検出している場合、用紙同士が重なって搬送されることによって用紙通過時間が長くなり、用紙が搬送されているにも関わらず、誤ってジャムとして判断されてしまう虞がある。
【０００９】
本願発明は上記事情に鑑みてなされたものであり、用紙同士が重なっている場合においても自動パージを適切に実行するための画像形成システム、画像形成装置、後処理装置、搬送異常検出プログラムを提供することを目的とする。
【課題を解決するための手段】
【００１０】
上記目的は、下記の手段によって達成される。
【００１１】
（１）画像形成装置と、当該画像形成装置により画像形成された記録材を後処理する後処理装置とを備える画像形成システムであって、前記画像形成システム内の搬送路に沿って搬送される記録材が所定の位置を通過するために要する時間が第１の閾値を超えた場合に、記録材の搬送異常を検出する検出部と、前記検出部により搬送異常が検出された際に記録材の搬送を一時停止させた後、前記搬送路に残存する記録材を排紙するために再搬送するときに、前記第１の閾値を前記第１の閾値よりも大きい第２の閾値に変更して前記検出部に搬送異常を検出させる制御部と、を有する画像形成システム。
【００１２】
（２）前記制御部は、記録材のサイズに基づいて前記第２の閾値を決定する上記（１）に記載の画像形成システム。
【００１３】
（３）前記制御部は、記録材を搬送するサイクル時間に基づいて前記第２の閾値を決定する上記（１）または（２）に記載の画像形成システム。
【００１４】
（４）後処理装置に接続されて画像形成システムを構成する画像形成装置であって、前記画像形成システム内の搬送路に沿って搬送される記録材が所定の位置を通過するために要する時間が第１の閾値を超えた場合に、記録材の搬送異常を検出する検出部と、前記検出部により搬送異常が検出された際に記録材の搬送を一時停止させた後、前記搬送路に残存する記録材を排紙するために再搬送するときに、前記第１の閾値を前記第１の閾値よりも大きい第２の閾値に変更して前記検出部に搬送異常を検出させる制御部と、を有する画像形成装置。
【００１５】
（５）画像形成装置に接続されて画像形成システムを構成する後処理装置であって、画像形成装置により画像形成された記録材を後処理する後処理部と、前記画像形成システム内の搬送路に沿って搬送される記録材が所定の位置を通過するために要する時間が第１の閾値を超えた場合に、記録材の搬送異常を検出する検出部と、前記検出部により搬送異常が検出された際に記録材の搬送を一時停止させた後、前記搬送路に残存する記録材を排紙するために再搬送するときに、前記第１の閾値を前記第１の閾値よりも大きい第２の閾値に変更して前記検出部に搬送異常を検出させる制御部と、を有する後処理装置。
【００１６】
（６）画像形成装置と、当該画像形成装置により画像形成された記録材を後処理する後処理装置とを備える画像形成システムに適用される搬送異常検出プログラムであって、前記画像形成システム内の搬送路に沿って搬送される記録材が所定の位置を通過するために要する時間が第１の閾値を超えた場合に、記録材の搬送異常を検出する検出ステップと、前記検出ステップにおいて搬送異常が検出された際に記録材の搬送を一時停止させた後、前記搬送路に残存する記録材を排紙するために再搬送するときに、前記第１の閾値を前記第１の閾値よりも大きい第２の閾値に変更して前記検出ステップに搬送異常を検出させる制御ステップと、をコンピューターに実行させる搬送異常検出プログラム。
【発明の効果】
【００１７】
本発明の画像形成システムによれば、ジャムが発生して用紙を一時停止させた後に用紙を再搬送する場合、ジャムを検出するための第１の閾値を、第１の閾値よりも大きい第２の閾値に変更してジャムを検出する。これにより、用紙同士が重なって搬送されている場合においても、誤ってジャムとして判断することが抑止され、自動パージが適切に実行される。
【図面の簡単な説明】
【００１８】
【図１】本発明の一実施形態に係る画像形成システムの外観を示す斜視図である。
【図２】画像形成システムのハードウェア構成を示すブロック図である。
【図３】画像形成システムの概略構成を示す図である。
【図４】画像形成システムにおいて画像形成システムにおいてジャムが発生した際、用紙同士が重なって停止する様子を示す図である。
【図５】画像形成システムにおける自動パージ実行時のジャム検出処理の手順を示すフローチャートである。
【図６】図５のステップＳ１０４に示されるジャム検出時間変更処理を説明するための図である。
【図７】用紙の先端が用紙センサーを越えた距離を考慮してジャム検出時間を算出する方法を説明する図である。
【図８】用紙のサイズに応じてマージンの値を変更してジャム検出時間を算出する方法を説明する図である。
【図９】生産性の設定値と最大重なり枚数との対応関係の設定例を示す図である。
【発明を実施するための形態】
【００１９】
以下、添付した図面を参照して、本発明の実施形態を説明する。なお、図面の説明において同一の要素には同一の符号を付し、重複する説明を省略する。また、図面の寸法比率は、説明の都合上誇張されており、実際の比率とは異なる場合がある。
【００２０】
図１は、本発明の一実施形態に係る画像形成システムの外観を示す斜視図である。図２は、画像形成システムのハードウェア構成を示すブロック図である。
【００２１】
図１および図２に示すように、画像形成システム１００は、画像形成装置１１０と、反転搬送装置１２０と、中綴じ装置１３０と、平綴じ装置１４０とを有する。画像形成装置１１０は、印刷に使用される記録材としての用紙上に画像を形成する。反転搬送装置１２０は、画像形成装置１１０から搬送された用紙の表裏を反転させる。中綴じ装置１３０は、反転搬送装置１２０から搬送された用紙に折りやステープル留め等による中綴じ処理を施す。平綴じ装置１４０は、中綴じ装置１３０から搬送された用紙にステープル留め等による平綴じ処理を施す。以下、各構成について説明する。
【００２２】
＜画像形成装置１１０＞
画像形成装置１１０は、制御部１１１、記憶部１１２、操作パネル１１３、用紙搬送部１１４、画像形成部１１５、用紙センサー１１６および通信部１１７を備えており、これらは信号をやり取りするためのバスを介して相互に接続されている。
【００２３】
制御部１１１は、ＣＰＵ（Ｃｅｎｔｒａｌ  Ｐｒｏｃｅｓｓｉｎｇ  Ｕｎｉｔ）であり、プログラムにしたがって上記各部の制御や各種の演算処理を行う。
【００２４】
記憶部１１２は、予め各種プログラムや各種データを格納しておくＲＯＭ（Ｒｅａｄ  Ｏｎｌｙ  Ｍｅｍｏｒｙ）、作業領域として一時的にプログラムやデータを記憶するＲＡＭ（Ｒａｎｄｏｍ  Ａｃｃｅｓｓ  Ｍｅｍｏｒｙ）、各種プログラムや各種データを格納するハードディスク等からなる。
【００２５】
操作パネル１１３は、タッチパネル、テンキー、スタートボタン、ストップボタン等を備えており、各種情報の表示および各種指示の入力に使用される。
【００２６】
用紙搬送部１１４は、印刷に使用される記録材としての用紙を搬送する。用紙は、給紙トレイに収容されており、給紙トレイに備えられる給紙機構によって、画像形成装置１１０内の搬送路に沿って１枚ずつ画像形成部１１５に搬送される。
【００２７】
画像形成部１１５は、帯電、露光、現像、転写、および定着の各工程を含む電子写真式プロセス等の周知の作像プロセスを用いて、各種データに基づく画像を用紙上に形成する。画像形成部１１５は、用紙の両面に画像を形成する機能を備えていてもよい。
【００２８】
用紙センサー１１６は、たとえば、搬送路の必要な箇所に設けられた複数のラインセンサーである。各用紙センサー１１６は、設置された箇所において、搬送路上に用紙が存在すること等を検出し、検出結果を制御部１１１に通知する。
【００２９】
通信部１１７は、他の機器と通信するためのインターフェースである。通信部１１７は、反転搬送装置１２０、中綴じ装置１３０および平綴じ装置１４０との間で、各種設定値や動作タイミング制御に必要な各種情報、用紙センサーによる用紙の検出情報、ジャムの発生を示す情報等の送受信を行う。
【００３０】
制御部１１１は、用紙搬送部１１４を制御することにより、画像形成装置１１０内において用紙を搬送する。また、制御部１１１は、検出部として、用紙センサー１１６による用紙の検出結果に基づいて、画像形成装置１１０において発生したジャムを検出する。制御部１１１は、たとえば、用紙センサー１１６が用紙の先端を検出してから用紙の後端を検出するまでの時間を用紙通過時間として取得する。制御部１１１は、取得した用紙通過時間が、事前に設定される閾値であるジャム検出時間を超えた場合に、ジャムの発生を検出する。ここで、ジャム検出時間は、記憶部１１２に記憶されている。また、制御部１１１は、画像形成システム１００における画像形成装置１１０以外の装置（以下、「他の装置」と称する）である反転搬送装置１２０、中綴じ装置１３０および平綴じ装置１４０と相互に通信し、他の装置におけるジャムの発生を示す情報を受信する。
【００３１】
制御部１１１は、画像形成装置１１０または他の装置でジャムが発生した場合、さらなるジャムの発生を防ぐために、画像形成装置１１０内における用紙の搬送を一時停止する。また、制御部１１１は、ジャムの発生を示す情報を他の装置へ送信し、他の装置においても用紙の搬送を一時停止させる。制御部１１１は、ジャムの起因となった用紙が取り除かれた後に、搬送路に残存する用紙を自動的に搬送して排出する自動パージを行う。
【００３２】
＜反転搬送装置１２０＞
反転搬送装置１２０は、制御部１２１、記憶部１２２、用紙搬送部１２３、反転部１２４、用紙センサー１２５および通信部１２６を備えており、これらは信号をやり取りするためのバスを介して相互に接続されている。なお、記憶部１２２、用紙センサー１２５および通信部１２６は、画像形成装置１１０の記憶部１１２、用紙センサー１１６および通信部１１７と同様の機能を有するので、説明の重複を避けるためその説明を省略する。
【００３３】
制御部１２１は、プログラムに従って上記各構成要素の制御や各種の演算処理等を行う。制御部１２１は、画像形成装置１１０からの指示に基づいて、用紙搬送部１２３および反転部１２４を制御して用紙の搬送や反転を行う。
【００３４】
用紙搬送部１２３は、画像形成装置１１０から供給された用紙を、反転搬送装置１２０内の搬送路に沿って搬送する。用紙搬送部１２３は、印刷ジョブの設定等に基づいて、用紙を反転部１２４に搬送する。
【００３５】
反転部１２４は、搬送路において用紙の表裏を反転させる。
【００３６】
制御部１２１は、用紙センサー１２５による用紙の検出結果に基づいて、反転搬送装置１２０において発生したジャムを検出する。制御部１２１は、ジャムを検出した場合、用紙搬送部１２３を制御して反転搬送装置１２０内での用紙の搬送を停止する。また、制御部１２１は、反転搬送装置１２０におけるジャムの発生を示す情報を、通信部１２６を介して画像形成装置１１０へ送信する。
【００３７】
＜中綴じ装置１３０＞
中綴じ装置１３０は、制御部１３１、記憶部１３２、用紙搬送部１３３、中綴じ部１３４、用紙センサー１３５および通信部１３６を備えており、これらは信号をやり取りするためのバスを介して相互に接続されている。なお、記憶部１３２、用紙センサー１３５および通信部１３６は、画像形成装置１１０の記憶部１１２、用紙センサー１１６および通信部１１７と同様の機能を有するので、説明の重複を避けるためその説明を省略する。
【００３８】
制御部１３１は、プログラムに従って上記各構成要素の制御や各種の演算処理等を行う。制御部１３１は、画像形成装置１１０からの指示に基づいて、用紙搬送部１３３および中綴じ部１３４を制御して用紙の搬送や中綴じ処理を行う。
【００３９】
用紙搬送部１３３は、反転搬送装置１２０から供給された用紙を、中綴じ装置１３０内の搬送路に沿って搬送する。用紙搬送部１３３は、印刷ジョブの設定等に基づいて、用紙を中綴じ部１３４に搬送する。
【００４０】
中綴じ部１３４は、用紙を中折りする折り部と、中折りされた用紙の束をステープル留
めして用紙束を綴じるステープル部とから構成され、用紙の束を中綴じして冊子を形成する。
【００４１】
制御部１３１は、用紙センサー１３５による用紙の検出結果に基づいて、中綴じ装置１３０において発生したジャムを検出する。制御部１３１は、ジャムを検出した場合、用紙搬送部１３３を制御して中綴じ装置１３０内での用紙の搬送を停止する。また、制御部１３１は、中綴じ装置１３０におけるジャムの発生を示す情報を、通信部１３６を介して画像形成装置１１０へ送信する。
【００４２】
＜平綴じ装置１４０＞
平綴じ装置１４０は、制御部１４１、記憶部１４２、用紙搬送部１４３、平綴じ部１４４、排出部１４５、用紙センサー１４６および通信部１４７を備えており、これらは信号をやり取りするためのバスを介して相互に接続されている。なお、記憶部１４２、用紙センサー１４６および通信部１４７は、画像形成装置１１０の記憶部１１２、用紙センサー１１６および通信部１１７と同様の機能を有するので、説明の重複を避けるためその説明を省略する。
【００４３】
制御部１４１は、プログラムに従って上記各構成要素の制御や各種の演算処理等を行う。制御部１４１は、画像形成装置１１０からの指示に基づいて、用紙搬送部１４３および平綴じ部１４４を制御して用紙の搬送や平綴じ処理を行う。
【００４４】
用紙搬送部１４３は、中綴じ装置１３０から供給された用紙を、平綴じ装置１４０内の搬送路に沿って搬送する。用紙搬送部１４３は、印刷ジョブの設定等に基づいて、用紙を平綴じ部１４４に搬送する。
【００４５】
平綴じ部１４４は、用紙束の端から所定の距離をおいた位置においてステープル留めを行い、用紙の束を平綴じして冊子を形成する。
【００４６】
排出部１４５は、平綴じ等の後処理が施された印刷物を平綴じ装置１４０の外部に送出する。
【００４７】
制御部１４１は、用紙センサー１４６による用紙の検出結果に基づいて、平綴じ装置１４０において発生したジャムを検出する。制御部１４１は、ジャムを検出した場合、用紙搬送部１４３を制御して平綴じ装置１４０内での用紙の搬送を停止する。制御部１４１は、平綴じ装置１４０におけるジャムの発生を示す情報を、通信部１４７を介して画像形成装置１１０へ送信する。
【００４８】
なお、画像形成装置１１０、反転搬送装置１２０、中綴じ装置１３０および平綴じ装置１４０は、それぞれ、上記の構成要素以外の構成要素を含んでいてもよく、あるいは、上記の構成要素のうちの一部が含まれていなくてもよい。
【００４９】
＜画像形成システム１００＞
図３は、画像形成システムの概略構成を示す図である。
【００５０】
図３に示すように、画像形成システム１００は、画像形成装置１１０、反転搬送装置１２０、中綴じ装置１３０および平綴じ装置１４０を有し、これらの装置が連結されることにより構成される。用紙は、画像形成装置１１０、反転搬送装置１２０、中綴じ装置１３０、平綴じ装置１４０の順に各装置を通過する。画像形成装置１１０によって画像が形成された用紙は、反転搬送装置１２０、中綴じ装置１３０、平綴じ装置１４０に搬送され、必要な後処理が施された後、印刷物として出力される。
【００５１】
画像形成装置１１０は、制御部１１１によって用紙搬送部１１４を制御し、給紙トレイＳ１、Ｓ２から給紙される用紙を搬送路１１４ａに沿って搬送する。また、画像形成装置１１０は、制御部１１１によって画像形成部１１５を制御し、用紙に画像を形成する。
【００５２】
反転搬送装置１２０は、制御部１２１によって用紙搬送部１２３を制御し、画像形成装置１１０から供給された用紙を搬送路１２３ａに沿って搬送する。また、反転搬送装置１２０は、制御部１２１によって用紙搬送部１２３および反転部１２４を制御し、画像形成装置１１０からの指示等に基づいて用紙を反転させる。
【００５３】
中綴じ装置１３０は、制御部１３１によって用紙搬送部１３３を制御し、反転搬送装置１２０から供給された用紙を搬送路１３３ａに沿って搬送する。また、中綴じ装置１３０は、用紙搬送部１３３および中綴じ部１３４を制御し、画像形成装置１１０からの指示等に基づいて用紙の束に対して中綴じ処理を施す。中綴じ処理が施された冊子は、所定の排出方法により中綴じ装置１３０から排出される。
【００５４】
平綴じ装置１４０は、制御部１４１によって用紙搬送部１４３を制御し、中綴じ装置１３０から供給された用紙を搬送路１４３ａに沿って搬送する。また、平綴じ装置１４０、用紙搬送部１４３および平綴じ部１４４を制御し、画像形成装置１１０からの指示等に基づいて用紙の束に対して平綴じ処理を施す。平綴じ処理が施された冊子は、排出部１４５により平綴じ装置１４０から排出される。
【００５５】
次に、画像形成システム１００においてジャムが発生した際、用紙同士が重なって停止する場合について説明する。
【００５６】
図４は、画像形成システムにおいてジャムが発生した際、用紙同士が重なって停止する様子を示す図である。
【００５７】
図４に示すように、画像形成システム１００の最も下流に位置する平綴じ装置１４０内のＸマークで示す箇所において、ジャムが発生している。画像形成システム１００の搬送路上には、ジャムの起因となった用紙Ｐ１以外に、用紙Ｐ２、Ｐ３、Ｐ４、Ｐ５、Ｐ６が残存している。用紙Ｐ２、Ｐ３は、中綴じ装置１３０の搬送路１３３ａ上に存在する。用紙Ｐ４は、反転搬送装置１２０の搬送路１２３ａ上に存在する。用紙Ｐ５、Ｐ６は、画像形成装置１１０の搬送路１１４ａ上に存在する。
【００５８】
まず、平綴じ装置１４０の搬送路１４３ａにおいてジャムが発生すると、平綴じ装置１４０は、平綴じ装置１４０内での用紙の搬送を停止すると共に、画像形成装置１１０にジャムの発生を示すジャム発生情報を送信する。
【００５９】
画像形成装置１１０は、平綴じ装置１４０からジャム発生情報を受信すると、画像形成装置１１０内での用紙の搬送を停止すると共に、他の装置である反転搬送装置１２０および中綴じ装置１３０にジャム発生情報を送信する。
【００６０】
続いて、反転搬送装置１２０および中綴じ装置１３０は、それぞれ画像形成装置１１０からジャム発生情報を受信すると、反転搬送装置１２０および中綴じ装置１３０内での用紙の搬送を停止する。
【００６１】
上記のように、平綴じ装置１４０が用紙の搬送を停止してから、平綴じ装置１４０の上流にある中綴じ装置１３０が用紙の搬送を停止するまでの間には、通信処理や制御処理の介在によるタイムラグが発生する。したがって、平綴じ装置１４０が用紙の搬送を停止しても、中綴じ装置１３０は、画像形成装置１１０からジャム発生情報を受信するまでの間は、用紙の搬送を継続する。中綴じ装置１３０は、用紙Ｐ２を搬送して平綴じ装置１４０に排出しようとする。しかし、平綴じ装置１４０は用紙の搬送を停止しているため、中綴じ装置１３０は、用紙Ｐ２を平綴じ装置１４０に排出できない。その結果、用紙Ｐ２は、中綴じ装置１３０の搬送路１３３ａの終端部分で停止する。このとき、中綴じ装置１３０は用紙の搬送を継続しているため、図４に示すように、後続する用紙Ｐ３の先端部が、停止している用紙Ｐ２の後端部と重なる。この状態で、中綴じ装置１３０が画像形成装置１１０からジャム発生情報を受信すると、用紙Ｐ２と用紙Ｐ３とが重なった状態で停止する。
【００６２】
図４に示す状態において、ジャムの起因となった用紙Ｐ１が取り除かれると、画像形成システム１００は、自動パージを行い、用紙Ｐ２〜用紙Ｐ６を搬送路に沿って自動的に搬送し、画像形成システム１００の外に排出する。このとき、用紙Ｐ２および用紙Ｐ３は、重なった状態で搬送されうる。用紙Ｐ２および用紙Ｐ３が重なった状態で搬送される場合、用紙Ｐ２と用紙Ｐ３との間に切れ目がない状態となる。この場合、制御部１４１は、用紙センサー１４６が用紙Ｐ２の先端を検出してから用紙Ｐ３の後端を検出するまでの時間を、用紙通過時間として取得する。そのため、用紙が重なって搬送されている場合は、用紙が１枚ずつ搬送されている場合よりも、用紙通過時間が長く検出される。したがって、たとえば、ジャムを検出するための用紙通過時間の所定の閾値を、用紙１枚が通過する時間を基準に設定している場合、用紙が重なって搬送されていることにより、ジャムが検出されてしまう。
【００６３】
＜画像形成システム１００における自動パージ実行時のジャム検出処理の概要＞
図５は、画像形成システムにおける自動パージ実行時のジャム検出処理の手順を示すフローチャートである。図５のフローチャートに示されるアルゴリズムは、画像形成装置１１０の記憶部１１２にプログラムとして記憶されており、制御部１１１によって実行される。図５のフローチャートに示す処理を実行する際、画像形成システム１００においては、ジャムが検出され、画像形成システム１００内に残存する用紙が一時停止している。
【００６４】
図５に示すように、画像形成システム１００は、自動パージによる用紙の再搬送を開始する（ステップＳ１０１）。具体的には、画像形成装置１１０の制御部１１１は、画像形成装置１１０の各部および他の装置と相互に通信を行い、用紙の再搬送を開始する旨の指示を送信する。画像形成システム１００は、画像形成システム１００内に残存する用紙を排出するために搬送する。
【００６５】
続いて、画像形成システム１００は、停止指示を受け付けているか否かを判断する（ステップＳ１０２）。具体的には、画像形成装置１１０の制御部１１１は、ユーザーによる操作パネル１１３を介した停止指示や、各種エラーによる停止指示等を受け付けているか否かを判断する。
【００６６】
停止指示を受け付けている場合（ステップＳ１０２：ＹＥＳ）、画像形成システム１００は、搬送動作を停止し（ステップＳ１０６）、ジャム検出処理を終了する。
【００６７】
停止指示を受け付けていない場合（ステップＳ１０２：ＮＯ）、画像形成システム１００は、全ての用紙が排出されたか否かを判断する（ステップＳ１０３）。
【００６８】
全ての用紙が排出されている場合（ステップＳ１０３：ＹＥＳ）、画像形成システム１００は、搬送動作を停止し（ステップＳ１０６）、ジャム検出処理を終了する。
【００６９】
全ての用紙が排出されていない場合（ステップＳ１０３：ＮＯ）、画像形成システム１００は、各装置に設けられた用紙センサーにより用紙の存在が検出されたか否かを判断する（ステップＳ１０４）。
【００７０】
用紙の存在が検出されていない場合（ステップＳ１０４：ＮＯ）、画像形成システム１００は、ステップＳ１０２の処理に戻る。
【００７１】
用紙の存在が検出された場合（ステップＳ１０４：ＹＥＳ）、画像形成システム１００は、ジャム検出時間を設定する（ステップＳ１０５）。ジャム検出時間変更処理の詳細については、後述する。
【００７２】
続いて、画像形成システム１００は、ステップＳ１０５の処理において設定されたジャム検出時間にしたがってジャムの検出を行いつつ用紙を搬送し、ステップＳ１０２の処理に戻る。画像形成システム１００は、全ての用紙が排出されるまでステップＳ１０２〜Ｓ１０５の処理を繰り返す。
【００７３】
＜ジャム検出時間変更処理＞
図６は、図５のステップＳ１０５に示されるジャム検出時間変更処理を説明するための図である。図６において、（Ａ）は、通常の用紙搬送時におけるジャム検出時間の算出方法を説明する図であり、（Ｂ）は、自動パージ実行時におけるジャム検出時間の算出方法の一例を説明する図である。
【００７４】
まず、図６（Ａ）に示すように、通常の用紙搬送時においては、用紙の搬送方向における長さＬ（以下、「紙長Ｌ」と称する。）が用紙センサーを通過するために必要な時間に、所定のマージンＭを加えた時間が、ジャム検出時間Ｔ１として設定されている。マージンＭの値は、用紙の傾きや用紙のスリップ率等を考慮して適宜設定される。
【００７５】
通常搬送時のジャム検出時間Ｔ１は、用紙の搬送速度Ｓ、用紙の紙長ＬおよびマージンＭを用いて、下記の数式１により算出される。
【００７６】
Ｔ１＝Ｌ／Ｓ＋Ｍ      ・・・（数式１）
図６（Ａ）の例において、用紙の搬送速度Ｓは１０００［ｍｍ／ｓ］、用紙の紙長Ｌは２１０［ｍｍ］、マージンＭは、０．１［ｓ］とする。この場合、数式１により、通常搬送時のジャム検出時間Ｔ１は、２１０［ｍｍ］／１０００［ｍｍ／ｓ］＋０．１［ｓ］＝３１０［ｍｓ］として算出される。画像形成システム１００に含まれる各装置は、上記のジャム検出時間Ｔ１を予め記憶部に記憶しており、通常の用紙搬送時においては、当該ジャム検出時間Ｔ１を用いてジャムを検出する。
【００７７】
次に、図６（Ｂ）に示すように、自動パージ実行時においては、紙長Ｌの用紙２枚分の長さが用紙センサーを通過するために必要な時間に、所定のマージンＭを加えた時間が、ジャム検出時間Ｔ２として設定される。
【００７８】
自動パージ実行時のジャム検出時間Ｔ２は、用紙の搬送速度Ｓ、用紙の紙長ＬおよびマージンＭを用いて、下記の数式２により算出される。
【００７９】
Ｔ２＝Ｌ×２／Ｓ＋Ｍ      ・・・（数式２）
上述したように、自動パージにより用紙を再搬送する際は、用紙同士が重なって搬送される場合がある。用紙同士が重なって搬送されている状態で、通常の用紙搬送時におけるジャム検出時間Ｔ１を用いてジャム検出を行うと、用紙通過時間がジャム検出時間Ｔ１を超過し、ジャムとして検出されてしまう。そこで、本実施形態においては、用紙２枚が重なり、紙長が最大になった場合を想定し、用紙２枚が用紙センサーを通過するために必要な時間を自動パージ実行時のジャム検出時間Ｔ２として設定する。
【００８０】
図６（Ｂ）の例において、用紙の搬送速度Ｓは１０００［ｍｍ／ｓ］、用紙の紙長Ｌは２１０［ｍｍ］、マージンＭは、０．１［ｓ］とする。この場合、数式２により、自動パージ実行時のジャム検出時間Ｔ２は、２１０［ｍｍ］×２／１０００［ｍｍ／ｓ］＋０．１［ｓ］＝５２０［ｍｓ］として算出される。
【００８１】
画像形成装置１１０の制御部１１１は、図５のステップＳ１０５に示す処理において、上記のように算出された自動パージ実行時のジャム検出時間Ｔ２を、記憶部１１２に記憶する。また、制御部１１１は、自動パージ実行時のジャム検出時間Ｔ２を他の装置にも送信する。他の装置は、受信した自動パージ実行時のジャム検出時間Ｔ２を各装置の記憶部に記憶する。
【００８２】
このようにして、画像形成システム１００内の各装置は、自動パージ実行時において、通常の用紙搬送時のジャム検出時間Ｔ１を、Ｔ１よりも長い自動パージ実行時のジャム検出時間Ｔ２に変更してジャムを検出する。
【００８３】
以上のように、本実施形態の画像形成システム１００によれば、ジャムが発生して用紙を一時停止させた後に用紙を再搬送する場合、ジャム検出時間Ｔ１を、ジャム検出時間Ｔ１よりも長いジャム検出時間Ｔ２に変更してジャムを検出する。これにより、用紙同士が重なって搬送されている場合に、誤ってジャムとして判断することなく自動パージを適切に実行できる。したがって、印刷の生産性を高めることができる。
【００８４】
また、画像形成システム１００は、用紙の紙長に基づいてジャム検出時間Ｔ２を決定する。これにより、用紙同士が重なって搬送されている場合に誤ってジャムとして判断することを回避しつつ、実際にジャムが発生した場合には、速やかにジャムを検出できる。その結果、より効率的に自動パージを実行でき、印刷の生産性を高めることができる。
【００８５】
＜変形例１＞
上記の実施形態においては、自動パージ実行時のジャム検出時間Ｔ２は、用紙２枚が用紙センサーを通過するために必要な時間にマージンを加えて算出する例を説明した。しかし、ジャム検出時間の算出方法は、これに限定されない。たとえば、ジャム発生後に用紙の先端が用紙センサーを越えた位置で停止し、その状態から自動パージを行う場合、用紙の先端が用紙センサーを越えた距離を考慮してジャム検出時間Ｔ３を算出してもよい。
【００８６】
図７は、用紙の先端が用紙センサーを越えた距離を考慮してジャム検出時間を算出する方法を説明する図である。
【００８７】
図７に示す例では、ジャム発生後に用紙の先端が用紙センサーを越えた位置で停止している。この状態から自動パージを行う場合、画像形成装置１１０の制御部１１１は、用紙の先端が用紙センサーを越えた距離Ｅを、用紙２枚分の長さから差し引いてジャム検出時間Ｔ３を算出する。このとき、ジャム検出時間Ｔ３は、下記の数式３により算出される。
【００８８】
Ｔ３＝（Ｌ×２−Ｅ）／Ｓ＋Ｍ      ・・・（数式３）
用紙の先端が用紙センサーを越えた位置で停止していることは、用紙が停止している状態において、用紙センサーが用紙を検出していることにより判断される。また、用紙の先端が用紙センサーを越えた距離は、たとえば、用紙センサーが用紙を検出（用紙センサーがＯＮ）してから、用紙が停止するまでにかかった時間に、用紙の搬送速度Ｓを乗算することにより算出される。
【００８９】
図７の例において、用紙の搬送速度Ｓは１０００［ｍｍ／ｓ］、用紙の紙長Ｌは２１０［ｍｍ］、マージンＭは、０．１［ｓ］とする。また、用紙の先端が用紙センサーを越えた距離は、１０５［ｍｍ］とする。この場合、数式３により、自動パージ実行時のジャム検出時間Ｔ３は、（２１０［ｍｍ］×２−１０５［ｍｍ］）／１０００［ｍｍ／ｓ］＋０．１［ｓ］＝４１５［ｍｓ］として算出される。
【００９０】
以上のように、本変形例の画像形成システム１００は、ジャム発生後に用紙の先端が用紙センサーを越えた位置で停止している場合、用紙の先端が用紙センサーを越えた距離Ｅを、用紙が重なった分の長さから差し引いてジャム検出時間Ｔ３を算出する。これにより、用紙同士が重なって搬送されている場合に誤ってジャムとして判断することを回避しつつ、実際にジャムが発生した場合には、より速やかにジャムを検出できる。
【００９１】
＜変形例２＞
上記の実施形態においては、マージンＭを固定値としてジャム検出時間を算出する例について説明した。しかし、ジャム検出時間の算出方法は、これに限定されない。たとえば、用紙のサイズに応じてマージンＭの値を変更し、ジャム検出時間を算出してもよい。
【００９２】
図８は、用紙のサイズに応じてマージンの値を変更してジャム検出時間を算出する方法を説明する図である。図８において、（Ａ）は、紙長Ｌが短い場合にスキューが発生する様子を示し、（Ｂ）は、（Ａ）は、紙長Ｌが長い場合にスキューが発生する様子を示す。
【００９３】
上述したように、マージンＭは、用紙搬送方向に対する用紙の傾き（スキュー）を考慮して設けられる調整値である。たとえば、図８（Ａ）に示すように、スキューが発生すると、搬送方向における用紙の紙長Ｌが差分Ｄだけ長くなる。この差分Ｄにより用紙通過時間が長くなる。これにより、スキューがない場合の理想的な用紙通過時間にマージンＭを加えた値がジャム検出時間として設定されている。
【００９４】
ここで、スキューは、紙長Ｌが短くなるほど発生しやすく、紙長Ｌが長くなるほど発生しにくい傾向にある。図８（Ａ）のように、紙長Ｌが短い場合、搬送時に用紙を挟持する搬送ローラーの数が少なく、搬送ローラー間で用紙を受け渡す際に用紙が傾きやすくなる。この場合、差分Ｄの値は大きくなり、必要なマージンＭの値も大きくなる。一方、図８（Ｂ）のように、紙長Ｌが長い場合、用紙を挟持する搬送ローラーの数が多く、搬送ローラー間で用紙を受け渡す際にも用紙が傾きにくくなる。この場合、差分Ｄの値が小さくなり、必要なマージンＭの値も小さくなる。したがって、本変形例では、用紙の紙長Ｌが短い場合、マージンＭを大きくし、用紙の紙長Ｌが長い場合、マージンＭを小さくする。
【００９５】
以下、マージンＭの値が、紙長Ｌの値と反比例するように設定される例について説明する。たとえば、紙長Ｌが２１０［ｍｍ］のＡ４用紙を搬送する際に、マージンＭを０．１［ｓ］に設定しているものとする。この場合、紙長Ｌが４２０［ｍｍ］のＡ３用紙を搬送する際には、紙長ＬがＡ４用紙の２倍になっているため、マージンＭをＡ４用紙の１／２倍の０．０５［ｓ］に減少させる。ここで、用紙の搬送速度Ｓは１０００［ｍｍ／ｓ］、用紙の紙長Ｌは４２０［ｍｍ］とする。この場合、数式２により、自動パージ実行時のジャム検出時間Ｔ４は、（４２０［ｍｍ］×２）／１０００［ｍｍ／ｓ］＋０．０５［ｓ］＝８９０［ｍｓ］として算出される。
【００９６】
以上のように、本変形例の画像形成システム１００は、用紙の紙長に応じてマージンＭの値を変更し、ジャム検出時間Ｔ４を算出する。これにより、用紙の紙長に応じて変動する用紙の傾きを考慮してマージンＭを適切に設定できる。したがって、用紙同士が重なって搬送されている場合に誤ってジャムとして判断することを確実に回避しつつ、実際にジャムが発生した場合には、より速やかにジャムを検出できる。その結果として、より効率的に自動パージを実行でき、印刷の生産性をより一層高めることができる。
【００９７】
＜変形例３＞
上記の実施形態においては、ジャムが発生して用紙が停止する際に、用紙が重なる枚数の最大値を２枚と想定してジャム検出時間を算出する例について説明した。しかし、ジャム検出時間の算出方法は、これに限定されない。たとえば、用紙のサイクル時間に応じて用紙が重なる枚数の想定最大値Ｎ（以下、「最大重なり枚数」と称する。）を変更し、ジャム検出時間を算出してもよい。
【００９８】
サイクル時間は、画像形成システム１００において、複数の用紙を搬送する際の時間的な搬送間隔を示す値である。サイクル時間は、単位時間あたりに印刷出力する枚数を示す生産性（印刷速度）の値に対応している。たとえば、生産性が６０［ｐｐｍ］（ｐａｇｅ  ｐａｅｒ  ｍｉｎｕｔｅ）の場合、サイクル時間は１秒である。生産性が１２０［ｐｐｍ］の場合、サイクル時間は０．５秒である。このサイクル時間または生産性の設定値は、画像形成装置１１０の記憶部１１２等に予め記憶されている。
【００９９】
サイクル時間が長い場合、搬送される各用紙間の距離は長く保たれる。これにより、ジャムが発生して用紙が停止する際の、最大重なり枚数Ｎは減少する。一方、サイクル時間が短い場合、搬送される各用紙間の距離は短くなり、各用紙は接近した状態で搬送される。これにより、ジャムが発生して用紙が停止する際の、最大重なり枚数Ｎは増加する。したがって、本変形例においては、サイクル時間が長い場合、最大重なり枚数Ｎを減少させ、サイクル時間が短い場合、最大重なり枚数Ｎを増加させる。
【０１００】
以下、サイクル時間に対応する生産性の設定値に応じて、最大重なり枚数を変更する例について説明する。
【０１０１】
図９は、生産性の設定値と最大重なり枚数との対応関係の設定例を示す図である。
【０１０２】
図９に示すように、画像形成装置１１０の記憶部１１２には、生産性の設定値と最大重なり枚数との対応関係を示す情報が記憶されている。図９の例では、生産性の設定値が４０［ｐｐｍ］以下の場合、最大重なり枚数Ｎとして、１［枚］が設定される。生産性の設定値が４１［ｐｐｍ］以上、６０［ｐｐｍ］以下の場合、最大重なり枚数Ｎとして、２［枚］が設定される。生産性の設定値が６１［ｐｐｍ］以上、１２０［ｐｐｍ］以下の場合、最大重なり枚数Ｎとして、３［枚］が設定される。本変形例において、自動パージ実行時のジャム検出時間Ｔ５は、下記の数式４により算出される。
【０１０３】
Ｔ５＝Ｌ×Ｎ／Ｓ＋Ｍ      ・・・（数式４）
以下、用紙の搬送速度Ｓは１０００［ｍｍ／ｓ］、用紙の紙長Ｌは２１０［ｍｍ］、マージンＭは、０．１［ｓ］として、ジャム検出時間Ｔ５の具体的な算出方法を説明する。
【０１０４】
生産性の設定値が４０以下の場合、最大重なり枚数Ｎは１［枚］である。これは、用紙同士が重なることなく、１枚ずつ搬送されるという想定である。この場合、数式４により、ジャム検出時間Ｔ５は、２１０［ｍｍ］×１／１０００［ｍｍ／ｓ］＋０．１［ｓ］＝３１０［ｍｓ］として算出される。
【０１０５】
生産性の設定値が４１［ｐｐｍ］以上、６０［ｐｐｍ］以下の場合、最大重なり枚数Ｎは２［枚］である。これは、用紙が最大２枚重なって搬送されるという想定である。この場合、数式４により、ジャム検出時間Ｔ５は、２１０［ｍｍ］×２／１０００［ｍｍ／ｓ］＋０．１［ｓ］＝５２０［ｍｓ］として算出される。
【０１０６】
生産性の設定値が６１［ｐｐｍ］以上、１２０［ｐｐｍ］以下の場合、最大重なり枚数Ｎは３［枚］である。これは、用紙が最大３枚重なって搬送されるという想定である。この場合、数式４により、ジャム検出時間Ｔ５は、２１０［ｍｍ］×３／１０００［ｍｍ／ｓ］＋０．１［ｓ］＝７３０［ｍｓ］として算出される。
【０１０７】
以上のように、本変形例の画像形成システム１００は、用紙のサイクル時間に応じて用紙が重なる枚数の想定最大値Ｎを変更し、ジャム検出時間Ｔ５を算出する。これにより、サイクル時間に応じて変動する用紙間の距離を考慮して用紙が重なる最大の枚数を設定し、ジャム検出時間Ｔ５を適切に設定できる。したがって、用紙同士が重なって搬送されている場合に誤ってジャムとして判断することをより確実に回避しつつ、実際にジャムが発生した場合には、速やかにジャムを検出できる。
【０１０８】
なお、上記の実施形態において、画像形成システム１００は、画像形成装置１１０、反転搬送装置１２０、中綴じ装置１３０および平綴じ装置１４０を含むものとして説明したがこれに限定されない。画像形成システム１００は、上記の装置以外の装置を含んでいてもよく、あるいは、上記の装置のうちの一部が含まれていなくてもよい。
【０１０９】
また、上記の実施形態において、画像形成装置１１０等の各装置は、それぞれ別体として設けられる装置として説明したが、これに限定されない。各装置は一体として構成されていてもよく、各装置が他の装置に含まれて構成されていてもよい。たとえば、画像形成装置１１０に、反転搬送装置１２０、中綴じ装置１３０、平綴じ装置１４０等の各種後処理装置が含まれていてもよい。あるいは、反転搬送や中綴じ、平綴じ等の複数の後処理機能を有する後処理装置が画像形成システム１００に適用されてもよい。
【０１１０】
また、上記の実施形態において、画像形成装置１１０によって実行されるものとして説明したジャム検出時間変更処理等の各処置は、反転搬送装置１２０、中綴じ装置１３０または平綴じ装置１４０等の後処理装置によって実行されてもよい。あるいは、画像形成システム１００に設けられたサーバーやコントローラー等の他の装置によって実行されてもよい。
【０１１１】
また、上記の説明においては、ジャム検出時間Ｔ２〜Ｔ５の算出方法について、それぞれ別個独立した方法として説明した。しかし、ジャム検出時間Ｔ２〜Ｔ５の算出方法が組み合わせられてもよい。たとえば、用紙の紙長に応じてマージンＭの値を決定しつつ、サイクル時間に応じて最大重なり枚数を決定してジャム検出時間を算出してもよい。
【０１１２】
また、上記の実施形態においては、画像形成システム１００内の各装置において、同じジャム検出時間が一律設定されるものとして説明したが、これに限定されない。ジャム検出時間は、装置ごとに異なる値が設定されてもよく、用紙センサーごとに異なる値が設定されてもよい。たとえば、紙長の長い用紙が画像形成システム１００の下流部分のみに残存している場合、下流側の装置や用紙センサーにおいては長い紙長を基準にジャム検出時間を設定し、上流側の装置においては短い紙長を基準にジャム検出時間を設定してもよい。
【０１１３】
また、上記の実施形態においては、自動パージ開始後にジャム検出時間を一度設定し、自動パージ実行中は同じジャム検出時間を使用する例について説明したが、これに限定されない。たとえば、各用紙センサーが用紙を検出した都度、当該用紙のサイズ等に基づいてジャム検出時間が設定されてもよい。
【０１１４】
また、上記の実施形態においては、ジャムが発生した後、画像形成システム１００内に残存する全ての用紙を一時停止させて自動パージを行う例について説明したが、これに限定されない。たとえば、ジャム発生後に画像形成システム１００内に残存する用紙を、各装置に設けられたサブ排紙トレイ等から排出するプレパージ処理を実施し、自動パージを行う前に排出可能な用紙を排出してもよい。プレパージ処理を実施した後で本実施形態の処理を行うことにより、自動パージ処理をよりスムーズに実施できる。
【０１１５】
また、上記の実施形態においては、後処理装置である平綴じ装置１４０においてジャムが発生した場合の例について説明したが、これに限定されない。画像形成システム１００は、画像形成装置１１０や他の後処理装置においてジャムが発生した場合においても、本実施形態に係る処理を行うことができる。
【０１１６】
また、上記の実施形態においては、画像形成装置１１０が電子写真方式によりトナーを用いて画像形成を行う例について説明したが、これに限定されない。画像形成装置１１０は、たとえば、インクジェット方式によりインクを用いて画像形成を行うものであってもよい。
【０１１７】
また、上記の実施形態においては、画像形成装置１１０により用紙に画像を形成して搬送する場合を例に挙げて説明したが、これに限定されない。画像形成装置１１０により画像が形成されて搬送される記録材は、用紙に限定されるものではなく、樹脂や金属等からなる種々の記録材であってもよい。
【０１１８】
上述した実施形態に係る画像形成システムにおける各種処理を行う手段および方法は、専用のハードウェア回路、またはプログラムされたコンピューターのいずれによっても実現することが可能である。上記プログラムは、たとえば、フレキシブルディスクおよびＣＤ−ＲＯＭ等のコンピューター読み取り可能な記録媒体によって提供されてもよいし、インターネット等のネットワークを介してオンラインで提供されてもよい。この場合、コンピューター読み取り可能な記録媒体に記録されたプログラムは、通常、ハードディスク等の記憶部に転送され記憶される。また、上記プログラムは、単独のアプリケーションソフトとして提供されてもよいし、画像形成システムの一機能としてその装置のソフトウエアに組み込まれてもよい。
【符号の説明】
【０１１９】
１００  画像形成システム、
１１０  画像形成装置、
１１１  制御部、
１１２  記憶部、
１１３  操作パネル、
１１４  用紙搬送部、
１１４ａ  搬送路、
１１５  画像形成部、
１１６  用紙センサー、
１１７  通信部、
１２０  反転搬送装置、
１２１  制御部、
１２２  記憶部、
１２３  用紙搬送部、
１２３ａ  搬送路、
１２４  反転部、
１２５  用紙センサー、
１２６  通信部、
１３０  中綴じ装置、
１３１  制御部、
１３２  記憶部、
１３３  用紙搬送部、
１３３ａ  搬送路、
１３４  中綴じ部、
１３５  用紙センサー、
１３６  通信部、
１４０  平綴じ装置、
１４１  制御部、
１４２  記憶部、
１４３  用紙搬送部、
１４３ａ  搬送路、
１４４  平綴じ部、
１４５  排紙部、
１４５  排出部、
１４６  用紙センサー、
１４７  通信部。
【図１】
2016108090.tif 000003
【図２】
2016108090.tif 000004
【図３】
2016108090.tif 000005
【図４】
2016108090.tif 000006
【図５】
2016108090.tif 000007
【図６】
2016108090.tif 000008
【図７】
2016108090.tif 000009
【図８】
2016108090.tif 000010
【図９】
2016108090.tif 000011